(57)【要約】【課題】侵入者が建物内に容易に侵入できず、防犯性の向上を図れるカードキーシステムを提供する。【解決手段】建物に設けられた扉を解錠するためのカードキーシステムを、ユーザを識別するための識別情報が記載されたカードキー１０と、建物に設けられ前記カードキー１０が所定通信範囲内に入ると非接触式の通信によりカードキー１０から識別情報を取り出してユーザを識別する読取装置２０と、建物に設けられ読取装置２０でユーザを識別できた場合にのみ扉１の施錠解錠を切り換える施錠装置３０とを備えたものとする。そのため、侵入者は、カードキーを入手した場合でも、読取装置を発見して破壊、改竄することが困難となるため、侵入者が建物内に容易に侵入できず、これにより、防犯性を向上させることができる。【選択図】　図２
2004068483.tif 000002
【特許請求の範囲】
【請求項１】
建物に設けられた扉を解錠するためのカードキーシステムであって、
ユーザを識別するための識別情報が記載されたカードキーと、
前記建物に設けられ前記カードキーが所定通信範囲内に入ると非接触式の通信により前記カードキーから前記識別情報を取り出してユーザを識別する読取装置と、
前記建物に設けられ前記読取装置でユーザを識別できた場合にのみ扉の施錠解錠を切り換える施錠装置とを備え、前記読取装置は、前記建物の屋外に面した部分の内部に隠蔽されていることを特徴とするカードキーシステム。
【請求項２】
請求項１に記載のカードキーシステムにおいて、前記施錠装置は、前記建物の屋外に面した部分の内部に隠蔽されていることを特徴とするカードキーシステム。
【請求項３】
請求項１または請求項２に記載のカードキーシステムにおいて、前記読取装置は、前記扉の内部に設置されていることを特徴とするカードキーシステム。
【請求項４】
請求項１または請求項２に記載のカードキーシステムにおいて、前記読取装置は、前記扉の脇の壁の内部に設置されていることを特徴とするカードキーシステム。
【請求項５】
請求項４に記載のカードキーシステムにおいて、前記読取装置は、前記壁の建物内部側に開閉自在で耐火性能を有する蓋を備えていることを特徴とするカードキーシステム。
【発明の詳細な説明】
【０００１】
【発明の属する技術分野】
本発明は、建物に設けられた扉を解錠するためのカードキーシステムに関する。
【０００２】
【背景技術】
従来、磁気カードやＩＣチップを内蔵したＩＣ等を利用したカードキーシステムが知られている（特開平５−１５６８５０号公報）。
カードキーシステムは、例えば、玄関に設置された読取装置にカードキーを接触させることによって、読取装置がカードキーに記憶された情報を読みとってユーザを識別し、扉を施錠解錠するものである。このようなカードキーシステムによれば、カードキーを軽量化して取扱性、携帯性を向上させることができるため、金属製のキーに比べて便利である。
【０００３】
【発明が解決しようとする課題】
しかし、従来のカードキーシステムでは、読取装置を建物外部に露出させて設置することになるため、侵入者が読取装置を破壊、改竄して建物内に侵入するおそれがある。
【０００４】
本発明の目的は、侵入者が建物内に容易に侵入できず、防犯性の向上を図れるカードキーシステムを提供することにある。
【０００５】
【課題を解決するための手段】
請求項１に記載の発明は、図面を参照して説明すると、図２に示すように、建物に設けられた扉を解錠するためのカードキーシステムであって、ユーザを識別するための識別情報が記載されたカードキー１０と、前記建物に設けられ前記カードキー１０が所定通信範囲内に入ると非接触式の通信により前記カードキー１０から前記識別情報を取り出してユーザを識別する読取装置２０と、前記建物に設けられ前記読取装置２０でユーザを識別できた場合にのみ扉１の施錠解錠を切り換える施錠装置３０とを備え、前記読取装置２０は、前記建物の屋外に面した部分の内部に隠蔽されていることを特徴とするカードキーシステムである。
【０００６】
このような本発明によれば、ユーザは読取装置の設置場所を知っているので、カードキーを読取装置に接近させるだけで容易に扉を解錠できるが、侵入者は、カードキーを入手した場合でも、読取装置を発見して破壊、改竄することが困難となるため、侵入者が建物内に容易に侵入できず、これにより、防犯性を向上させることができる。
【０００７】
請求項２に記載の発明は、図２に示すように、請求項ｌに記載のカードキーシステムにおいて、前記施錠装置３０は、前記建物の屋外に面した部分の内部に隠蔽されていることを特徴とするものである。
このような本発明によれば、侵入者は、カードキーを入手した場合でも、施錠装置を発見して破壊、改竄することが困難となるため、侵入者が建物内に容易に侵入できず、これにより、防犯性を向上させることができる。
【０００８】
請求項３に記載の発明は、図１に示すように、請求項１または請求項２に記載のカードキーシステムにおいて、前記読取装置２０は、前記扉の内部に設置されていることを特徴とするものである。
このような本発明によれば、ユーザがカードキーを接近させやすい位置に読取装置を設けたので、ユーザは容易に解錠することができる。
【０００９】
請求項４に記載の発明は、図１に示すように、請求項１または請求項２に記載のカードキーシステムにおいて、前記読取装置２０は、前記扉１の脇の壁２の内部に設置されていることを特徴とするものである。
このような本発明によれば、壁は一様な外観となっているため、読取装置の設置場所を判別できず、その結果、防犯性をさらに向上させることができる。
【００１０】
請求項５に記載の発明は、図３に示すように、請求項４に記載のカードキーシステムにおいて、前記読取装置２０は、前記壁２の建物内部側に開閉自在で耐火性能を有する蓋７を備えていることを特徴とするものである。
このような本発明によれば、火災の際にも読取装置を保護することができるとともに、蓋をあけることで読取装置のメンテナンスが容易となる。
【００１１】
【発明の実施の形態】
以下に、本発明の一実施形態を図面に基づいて説明する。
図１〜３には、カードキーシステムの実施形態が示されている。
図１に示すように、本実施形態のカードキーシステムは、建物の施錠された扉１を、家族構成員等のユーザが所持するＩＣカード１０（カードキー）を、所定通信範囲内において非接触式の通信により、外壁２内に埋め込まれた読取装置２０で読み取らせることにより解錠するシステムである。
【００１２】
図２に示すように、前記読取装置２０は、施錠装置である制御器３０に接続されており、この制御器３０は電源ボックス４０に接続されている。
制御器３０は、読取装置２０でユーザを識別できた場合にのみ扉１の施錠解錠を切り換えるものであり、例えば居間等に設けられている。このような制御器３０には、例えば、ＴＶドアホン５０が接続されており、ユーザがＩＣカード１０を使用して建物内に入ってきたことがＴＶドアホン５０から発信され、これにより、ユーザの入室が確認されるようになっている。
また、制御器３０には、図示しないがインターホーンおよび所定の操作スイッチが接続されており、インターホーンを通しての客との応対を行うことができ、必要に応じてスイッチを押して扉１の解錠を行えるようになっている。
【００１３】
一方、扉１には電気錠６０が設けられ、この電気錠６０は、扉１に設けられた通電金具３５を介して上記制御器３０に接続されている。
前記ＩＣカード１０には、家族等ユーザであることを証明するための名前等の識別情報が記載されており、一方、読取装置２０は、所定通信範囲内において、ＩＣカード１０を読取装置２０の前にかざすことで、つまり、非接触で、上記識別情報を非接触で読み取れることができるようになっている。
【００１４】
このような読取装置２０は、図１に示すように、建物の玄関脇の外壁２内部に埋め込まれている。すなわち、図３に詳細を示すように、外壁２は、枠体３の室内側に張り付けられた内側合板４Ａ、および枠体３の室外側に張り付けられた外側合板４Ｂを含み形成された外壁パネル４と、この外壁パネル４の外側に設けられたサイディング５とを備えて構成されている。そして、読取装置２０は、このような外壁パネル４の枠体３に設けられている。
【００１５】
外壁パネル４の内側合板４Ａにおいて、読取装置２０と対向する部位には、読取装置２０を取り出し可能とする開口部４Ｃが形成され、この開口部４Ｃには、鍔有りの筒状部材６が設けられている。また、筒状部材６には、鉄板等で形成された防火用蓋７が着脱可能に設けられている。
【００１６】
次に、本実施形態の作用を説明する。
家族等ユーザは、建物内に入るとき、所持しているＩＣカード１０を、所定範囲内に入ったとき、扉脇の外壁２内に埋め込まれている読取装置２０の前方にかざして、読取装置２０で情報を読み込ませる。読取装置２０が識別情報を取り出してユーザを識別できた場合、制御器３０の作動により扉１の施錠解錠が切り換えられて、扉１が解錠され、ユーザは建物内に入ることができる。
カードキーシステムの読取装置２０の故障等に際しては、内側合板４Ａに取り付けられた蓋７を開いて、外壁パネル４の内部に埋め込まれている読取装置２０を取り出す等して、メンテナンスを行う。
【００１７】
このような実施形態によれば、次のような効果がある。
（１）　読取装置２０は、外壁２において扉１の脇の内側に埋め込まれており、ユーザは、その位置を知っているので、ＩＣカード１０を読取装置２０に接近させるだけで容易に扉１を解錠できるが、侵入者は、ＩＣカード１０を入手した場合でも、読取装置を発見して破壊、改竄することが困難となるため、侵入者が建物内に容易に侵入できず、これにより、防犯性を向上させることができる。
【００１８】
（２）　読取装置２０は、外壁２において扉１の脇の内側に埋め込まれており、外壁２は一様な外観となっているため、侵入者は読取装置２０の設置場所を判別できず、その結果、防犯性をさらに向上させることができる。
（３）　制御器３０は、建物内部の居間に設けられ、屋外から隠蔽されているので、侵入者はＩＣカード１０を入手した場合でも、制御器３０を発見して破壊、改竄することが困難となるため、侵入者が建物内に容易に侵入できず、これにより、防犯性を向上させることができる。
【００１９】
（４）　読取装置２０は、外壁２の建物内部側に防火用蓋７を備えているので、火災の際にも読取装置２０を保護することができるとともに、蓋７をあけることで読取装置２０を室内に取り出すことができ、その結果、読取装置２０のメンテナンスが容易となる。
（５）　制御器３０には、ＴＶドアホン５０が接続されており、ユーザがＩＣカード１０を使用して建物内に入ってきたことがＴＶドアホン５０から発信されるので、誰が入室したかを容易に確認することができる。
【００２０】
なお、本発明は前記実施形態に限定されるものではなく、本発明の目的を達成できるものであれば、次のような変形形態でもよいものである。
例えば、前記実施形態では、読取装置２０は、扉１の脇の外壁２内に埋め込まれているが、これに限らず、扉１の内部に埋め込んでもよい。このようにすれば、ユーザがカードキーを接近させやすく、これにより、ユーザが容易に解錠することができるという効果がある。
、また、読取装置を玄関床に埋め込んでもよい。要は、読取装置が外部から隠蔽されていて侵入者等に発見されない場所であればよい。
【００２１】
【発明の効果】
以上に説明したように、請求項１の発明によれば、ユーザは読取装置の設置場所を知っているので、カードキーを読取装置に接近させるだけで容易に扉を解錠できるが、侵入者は、カードキーを入手した場合でも、読取装置を発見して破壊、改竄することが困難となるため、侵入者が建物内に容易に侵入できず、これにより、防犯性を向上させることができる。
【００２２】
請求項２の発明によれば、施錠装置が、建物の屋外に面した部分の内部に隠蔽されているので、侵入者はカードキーを入手した場合でも、施錠装置を発見して破壊、改竄することが困難となるため、侵入者が建物内に容易に侵入できず、これにより、防犯性を向上させることができる。
【００２３】
請求項３の発明によれば、読取装置が、扉の内部に設置されているので、ユーザがカードキーを接近させやすく、これにより、ユーザが容易に解錠することができる。
【００２４】
請求項４の発明によれば、読取装置が、扉の脇の壁の内部に設置されており、壁は一様な外観となっているため、侵入者は読取装置の設置場所を判別できず、その結果、防犯性をさらに向上させることができる。
【００２５】
請求項５の発明によれば、読取装置が、壁の建物内部側に蓋を備えているので、火災の際にも読取装置を保護することができるとともに、蓋をあけることで読取装置のメンテナンスが容易となる。
【図面の簡単な説明】
【図１】本発明に係るカードキーシステムを適用しＩＣカードにより扉を開ける状態を示す斜視図である。
【図２】本発明に係るカードキーシステムの位置実施形態を示すシステム図である。
【図３】前記実施形態の要部を示す縦断面図である。
【符号の説明】
１　　扉
２　　外壁
４　　外壁パネル
７　　蓋
１０　　カードキーであるＩＣカード
２０　　読取装置
３０　　施錠装置である制御器
４０　　電源ボックス
５０　　ＴＶドアホン
６０　　電気錠
【図１】
2004068483.tif 000003
【図２】
2004068483.tif 000004
【図３】
2004068483.tif 000005